(57)【特許請求の範囲】
【請求項１】
魚類のうち一定の大きさ以下の魚を網の外部に逃すための漁網において、漁網の一部に網目形状を六角形に形成した他の部位の網目より大きい網目を前記六角形の網目を一方向に延伸して固定することにより形成してなるスリット網を設けたことを特徴とする漁網。
【発明の詳細な説明】
【０００１】
【発明の属する技術分野】
本発明は漁網に係り、特に魚類のうち一定の大きさ以下の魚を網の外部に逃すための漁網に関する。
【０００２】
【従来の技術】
従来から、所定の魚類を捕獲するために旋網漁業やトロール網漁業等の各種漁業が行なわれている。
【０００３】
そして、このような漁業においては、近年、魚類のうち成長過程にある幼稚魚の漁獲防止が要望されるようになってきている。
【０００４】
この幼稚魚の漁獲を防止するための手段として、例えば、トロール漁業においては、例えば、捕獲された魚類の集中するコッド網と身網との間等の漁網の一部に、この魚類を選別するための一般にグレーダーと呼ばれるものを設け、このグレーダー部分を通過できる大きさの魚類をこのグレーダーから網の外部に逃すことにより一定の大きさ以上の魚類のみを捕獲するようにしたものがある。
【０００５】
このグレーダーとしては、従来から、金属等の硬質材料からなり所定形状のスリットが形成されたグリッド装置が使用されている。
【０００６】
【発明が解決しようとする課題】
しかし、前記従来の手段においては、海中に投入された漁網を、例えば、ドラムにより巻取ることにより、漁網を引上げ、魚類の捕獲を行なうようにしているが、前記グリッド装置は、硬質であるため、かつ、重量も嵩むため、漁網とともにドラムに巻取ることができないという問題を有している。
【０００７】
そのため、漁網をドラムに巻取る際に、前記グリッド装置を漁網から取外す作業が必要となり、極めて手間がかかり、漁網の投入作業や引上げ作業の際の取扱いが極めて面倒であるという問題を有している。
【０００８】
本発明はこれらの点に鑑みてなされたもので、漁網の投入作業や巻取り作業の際における取扱いを容易に行なうことのできる漁網を提供することを目的とするものである。
【０００９】
【課題を解決するための手段】
前記目的を達成するために請求項１に記載の発明に係る漁網は、魚類のうち一定の大きさ以下の魚を網の外部に逃すための漁網において、漁網の一部に網目形状を六角形に形成した他の部位の網目より大きい網目を前記六角形の網目を一方向に延伸して固定することにより形成してなるスリット網を設けたことを特徴とするものである。
【００１０】
このような請求項１に記載の発明によれば、漁網の一部に網目形状を六角形に形成した他の部位の網目より大きい網目を前記六角形の網目を一方向に延伸して固定することにより形成してなるスリット網を設けるようにしているので、スリット網の網目から、この網目より小さい大きさの魚を通過させ、それ以上の大きさの魚のみを捕獲することができるものであり、しかも、一般的な漁網を用いてこの漁網を加工するだけで、容易にスリット網を得ることができ、製造が容易で製造コストも低減させることができるものである。
【００１５】
【発明の実施の形態】
以下、本発明の実施形態を図１から図５を参照して説明する。
【００１６】
図１は本発明に係る漁網をトロール漁業に用いられるトロール網について適用した場合の実施の一形態を示したもので、本実施形態においては、この漁網１は、先細り状に形成された身網２とこの身網２の先端部に連続して設けられたコッド網３とから構成されている。そして、本実施形態においては、この身網２とコッド網３との間には、前記身網２およびコッド網３の網目４より大きな網目５を有するスリット網６が設けられている。
【００１７】
また、前記身網２およびコッド網３は、図２に示すように、例えば、六角形状の網目４を有しており、例えば、図２において縦方向の縦脚７が２重に形成された無結節網とされている。さらに、この漁網１においては、図２において縦方向に延びる縦脚７の長さ寸法をａ、この縦脚７に連結されるように斜めに延びる斜め脚８の長さ寸法をｂとした場合に、これら各脚７，８の長さ寸法ａ，ｂは、任意に設定することができる。
【００１８】
また、前記スリット網６は、図３に示すように、例えば、身網２およびコッド網３の網目４より大きい長方形状の網目５を有している。
【００１９】
次に、このようなスリット網６を製造する手段について説明する。
【００２０】
本実施形態においては、図２に示す六角形状の網目４を有する漁網１に対して、図２において左右方向への引張り力を加え、この漁網１を左右方向に延伸させる。これにより、前記漁網１の網目４のうち、縦脚７は変形しないが、ジグザグ状の斜め脚８がそれぞれ直線状になるように延伸され、六角形状の網目４が変形して、図３に示すように、長方形状の網目５となる。
【００２１】
このように漁網１の網目５を長方形状に保持した状態で、漁網１に熱を加えてこの網目５のまま固定し、大きな長方形状の網目５を有するスリット網６を形成するようになっている。
【００２２】
この場合、図３において、網目５を構成する長方形状は、もとの六角形状の縦脚７と斜め脚８との長さ寸法により決定されるものであり、本実施形態におけるスリット網６の網目５は、短辺の長さ寸法がａ、長辺の長さ寸法が２ｂに形成された長方形に形成されている。この網目５の大きさは、前記六角形状の網目４の各脚７，８の長さ寸法ａ，ｂを任意に決定することにより、任意に設定することができるものである。
【００２３】
また、図４は漁網の製造手段の他の実施形態を示したもので、本実施形態においては、漁網１は、その網目４が正方形や長方形等の四角形状に形成されている。
【００２４】
そして、漁網１において１本おきにかつ交互に位置する縦脚７、すなわち、図４において破線で示す縦脚７を切断することにより、図３に示すような大きな長方形状の網目５を有するスリット網６を得ることができる。
【００２５】
この場合に、例えば、前記漁網１が無結節網の場合には、前記縦脚７の両端部分を熱溶断することにより、切断部がほつれることなく縦脚７を切断することができるものである。
【００２６】
なお、前記漁網１は、前記スリット網６を個別に形成した後、身網２およびコッド網３と連結することにより形成するようにしてもよいし、漁網１の一部を加工することにより、漁網１と一体にスリット網６を形成するようにしてもよい。
【００２７】
また、図５は本発明の漁網１を旋網漁業に用いられる旋網について適用した場合の実施形態を示したもので、本実施形態においては、フロート９，９により海面下に吊下される旋網１０の上部の一部、例えば、旋網１０が巻き上げられ捕獲された魚類が集中する位置に図３に示すスリット網６を設けるようにしたものである。
【００２８】
次に、本実施形態の作用について説明する。
【００２９】
本実施形態においては、例えば、旋網漁業における旋網１０やトロール漁業におけるトロール網にスリット網６が設けられた漁網１を用いることにより、スリット網６の網目５から、この網目５より小さい大きさの魚を通過させ、コッド網３あるいは旋網１０によりそれ以上の大きさの魚のみを捕獲することができるものである。
【００３０】
この場合に、本実施形態においては、スリット網６を形成する場合に、図２に示す六角形状の網目４を有する漁網１を延伸させて固定することにより、大きい長方形状の網目５を形成するようにしているので、一般的な漁網１を用いてこの漁網１を加工するだけで、容易にスリット網６を得ることができる。
【００３１】
したがって、本実施形態においては、トロール網における身網２とコッド網３あるいは旋網１０に、これらの網目４より大きな網目５を有するスリット網６を設けるようにしているので、スリット網６の網目５から、この網目５より小さい大きさの魚を通過させ、コッド網３あるいは旋網１０によりそれ以上の大きさの魚のみを捕獲することができ、魚類のうち成長過程にある幼稚魚の漁獲の防止を図ることができる。
【００３２】
また、スリット網６を形成する場合に、図２に示す六角形状の網目４を有する漁網１を延伸させて固定することにより、大きい長方形状の網目５を形成するようにしているので、一般的な漁網１を用いてこの漁網１を加工するだけで、容易にスリット網６を得ることができ、その結果、製造が容易で製造コストも低減させることができる。
【００３３】
なお、本発明は前記実施形態に限定されるものではなく、必要に応じて種々変更することが可能である。
【００３４】
【発明の効果】
以上述べたように請求項１に記載の発明に係る漁網は、漁網の一部に網目形状を六角形に形成した他の部位の網目より大きい網目を前記六角形の網目を一方向に延伸して固定することにより形成してなるスリット網を設けるようにしたので、スリット網の網目から、この網目より小さい大きさの魚を通過させ、それ以上の大きさの魚のみを捕獲することができ、魚類のうち成長過程にある幼稚魚の漁獲の防止を図ることができ、また、一般的な漁網を用いてこの漁網を加工するだけで、容易にスリット網を得ることができ、製造が容易で製造コストも低減させることができる。
【図面の簡単な説明】
【図１】  本発明に係る漁網をトロール網について適用した場合の実施の一形態を示す一部の概略構成図
【図２】  図１に示す漁網の網目を示す一部の拡大図
【図３】  図１に示す漁網のスリット網の網目を示す一部の拡大図
【図４】  図１に示す漁網の他の網目を一部の拡大図
【図５】  本発明に係る漁網を旋網について適用した場合の実施の一形態を示す一部の概略構成図
【符号の説明】
１  漁網
２  身網
３  コッド網
４，５  網目
６  スリット網
１０  旋網
【図１】
0003803454.tif 000002
【図２】
0003803454.tif 000003
【図３】
0003803454.tif 000004
【図４】
0003803454.tif 000005
【図５】
0003803454.tif 000006